【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
コンピュータ実装方法であって、
ユーザデバイスのオーディオ出力コンポーネントを使用して、１つまたはそれを上回るオーディオ信号を放出することと、
前記ユーザデバイスのオーディオ入力コンポーネントを使用して、標的から前記オーディオ信号の１つまたはそれを上回る反射を受信することと、
前記１つまたはそれを上回る反射に基づいて、前記標的が顔状構造および顔状組織のうちの少なくとも１つを含むかどうかを判定することと、
前記標的の複数の画像を受信することと、
前記画像に基づいて、前記標的が第１の脈拍を有するかどうかを識別することと、
前記標的との物理的接触を通して、前記標的の第２の脈拍を測定することと、
少なくとも部分的に、（ｉ）前記標的が顔状構造および顔状組織のうちの少なくとも１つを含むかどうかの判定、（ｉｉ）前記標的が脈拍を有するかどうかの識別、および（ｉｉｉ）前記第２の脈拍の測定値に基づいて、前記標的がスプーフであるかどうかを判定することと
を含む、方法。
【請求項２】
前記ユーザデバイスは、スマートフォン、タブレット、またはラップトップを含むモバイルデバイスである、請求項１に記載の方法。
【請求項３】
前記１つまたはそれを上回るオーディオ信号は、ショートコード化パルスｐｉｎｇ、短期間のチャープ、またはＣＴＦＭ  ｐｉｎｇを含む、請求項１に記載の方法。
【請求項４】
前記標的の身体的特徴を識別するために、分類子を訓練することと、
前記分類子への入力として、前記標的からの前記オーディオ信号の１つまたはそれを上回る反射に基づいて、情報を提供することと
をさらに含み、
前記標的がスプーフであるかどうかの判定はさらに、少なくとも部分的に、前記提供された入力に応答して受信される前記分類子の出力に基づく、請求項１に記載の方法。
【請求項５】
前記１つまたはそれを上回るオーディオ信号の１つもしくはそれを上回る特性をランダム化することをさらに含む、請求項１に記載の方法。
【請求項６】
前記標的の複数の画像を受信することと、
前記画像内の検出された光反射に基づいて、前記標的が３次元顔状構造を含むかどうかを判定することと
をさらに含む、請求項１に記載の方法。
【請求項７】
前記第１の脈拍は、遠隔フォトプレチスモグラフィを使用して識別される、請求項１に記載の方法。
【請求項８】
前記第２の脈拍が前記第１の脈拍に相関するかどうかを判定することをさらに含み、前記標的がスプーフであるかどうかの判定はさらに、少なくとも部分的に、前記相関に基づく、請求項１に記載の方法。
【請求項９】
前記第２の脈拍を測定することは、前記ユーザデバイスまたは別のハンドヘルドもしくはウェアラブルデバイスから前記第２の脈拍と関連付けられる情報を受信することを含む、請求項１に記載の方法。
【請求項１０】
前記第２の脈拍と関連付けられる情報は、バリストカルジオグラフ信号を含む、請求項９に記載の方法。
【請求項１１】
システムであって、
コンピュータ実行可能命令を記憶するための、少なくとも１つのメモリと、
前記メモリ上に記憶される命令を実行するための、少なくとも１つの処理ユニットであって、前記命令の実行は、
ユーザデバイスのオーディオ出力コンポーネントを使用して、１つまたはそれを上回るオーディオ信号を放出することと、
前記ユーザデバイスのオーディオ入力コンポーネントを使用して、標的から前記オーディオ信号の１つまたはそれを上回る反射を受信することと、
前記１つまたはそれを上回る反射に基づいて、前記標的が顔状構造および顔状組織のうちの少なくとも１つを含むかどうかを判定することと、
前記標的の複数の画像を受信することと、
前記画像に基づいて、前記標的が第１の脈拍を有するかどうかを識別することと、
前記標的との物理的接触を通して、前記標的の第２の脈拍を測定することと、
少なくとも部分的に、（ｉ）前記標的が顔状構造および顔状組織のうちの少なくとも１つを含むかどうかの判定、（ｉｉ）前記標的が脈拍を有するかどうかの識別、および（ｉｉｉ）前記第２の脈拍の測定値に基づいて、前記標的がスプーフであるかどうかを判定することと
を含む動作を実施するように前記少なくとも１つの処理ユニットをプログラムする、少なくとも１つの処理ユニットと
を備える、システム。
【請求項１２】
前記ユーザデバイスは、スマートフォン、タブレット、またはラップトップを含むモバイルデバイスである、請求項１１に記載のシステム。
【請求項１３】
前記１つまたはそれを上回るオーディオ信号は、ショートコード化パルスｐｉｎｇ、短期間のチャープ、またはＣＴＦＭ  ｐｉｎｇを含む、請求項１１に記載のシステム。
【請求項１４】
前記動作は、
前記標的の身体的特徴を識別するために、分類子を訓練することと、
前記分類子への入力として、前記標的からの前記オーディオ信号の１つまたはそれを上回る反射に基づいて、情報を提供することと
をさらに含み、
前記標的がスプーフであるかどうかの判定はさらに、少なくとも部分的に、前記提供された入力に応答して受信される前記分類子の出力に基づく、請求項１１に記載のシステム。
【請求項１５】
前記動作はさらに、前記１つまたはそれを上回るオーディオ信号の１つもしくはそれを上回る特性をランダム化することを含む、請求項１１に記載のシステム。
【請求項１６】
前記動作は、
前記標的の複数の画像を受信することと、
前記画像内の検出された光反射に基づいて、前記標的が３次元顔状構造を含むかどうかを判定することと
をさらに含む、請求項１１に記載のシステム。
【請求項１７】
前記第１の脈拍は、遠隔フォトプレチスモグラフィを使用して識別される、請求項１１に記載のシステム。
【請求項１８】
前記動作はさらに、前記第２の脈拍が前記第１の脈拍に相関するかどうかを判定することを含み、前記標的がスプーフであるかどうかの判定はさらに、少なくとも部分的に、前記相関に基づく、請求項１１に記載のシステム。
【請求項１９】
前記第２の脈拍を測定することは、前記ユーザデバイスまたは別のハンドヘルドもしくはウェアラブルデバイスから前記第２の脈拍と関連付けられる情報を受信することを含む、請求項１１に記載のシステム。
【請求項２０】
前記第２の脈拍と関連付けられる情報は、バリストカルジオグラフ信号を含む、請求項１９に記載のシステム。
【請求項２１】
その上に記憶される命令を有する非一過性コンピュータ可読媒体であって、前記命令は、実行されると、
ユーザデバイスのオーディオ出力コンポーネントを使用して、１つまたはそれを上回るオーディオ信号を放出することと、
前記ユーザデバイスのオーディオ入力コンポーネントを使用して、標的から前記オーディオ信号の１つまたはそれを上回る反射を受信することと、
前記１つまたはそれを上回る反射に基づいて、前記標的が顔状構造および顔状組織のうちの少なくとも１つを含むどうかを判定することと、
前記標的の複数の画像を受信することと、
前記画像に基づいて、前記標的が第１の脈拍を有するかどうかを識別することと、
前記標的との物理的接触を通して、前記標的の第２の脈拍を測定することと、
少なくとも部分的に、（ｉ）前記標的が顔状構造および顔状組織のうちの少なくとも１つを含むかどうかの判定、（ｉｉ）前記標的が脈拍を有するかどうかの識別、および（ｉｉｉ）前記第２の脈拍の測定値に基づいて、前記標的がスプーフであるかどうかを判定することと
を含む動作を実施するように少なくとも１つのプロセッサをプログラムする、非一過性コンピュータ可読媒体。
【手続補正２】
【補正対象書類名】明細書
【補正対象項目名】００１２
【補正方法】変更
【補正の内容】
【００１２】
本明細書に説明される主題の１つまたはそれを上回る実施形態の詳細は、付随の図面および以下の説明に記載される。本主題の他の特徴、側面、および利点は、説明、図面、ならびに請求項から明白となるであろう。
本願明細書は、例えば、以下の項目も提供する。
（項目１）
コンピュータ実装方法であって、
ユーザデバイスのオーディオ出力コンポーネントを使用して、１つまたはそれを上回るオーディオ信号を放出するステップと、
前記ユーザデバイスのオーディオ入力コンポーネントを使用して、標的から前記オーディオ信号の１つまたはそれを上回る反射を受信するステップと、
前記１つまたはそれを上回る反射に基づいて、前記標的が顔状構造および顔状組織のうちの少なくとも１つを含むかどうかを判定するステップと、
少なくとも部分的に、前記標的が顔状構造および顔状組織のうちの少なくとも１つを含むかどうかの判定に基づいて、標的がスプーフであるかどうかを判定するステップと、
を含む、方法。
（項目２）
前記ユーザデバイスは、スマートフォン、タブレット、またはラップトップを含むモバイルデバイスである、項目１に記載の方法。
（項目３）
前記１つまたはそれを上回るオーディオ信号は、ショートコード化パルスｐｉｎｇ、短期間のチャープ、またはＣＴＦＭ  ｐｉｎｇを含む、項目１に記載の方法。
（項目４）
前記標的の身体的特徴を識別するために、分類子を訓練するステップと、
前記分類子への入力として、前記標的からの前記オーディオ信号の１つまたはそれを上回る反射に基づいて、情報を提供するステップと、
をさらに含み、
前記標的がスプーフであるかどうかの判定はさらに、少なくとも部分的に、前記提供された入力に応答して受信される前記分類子の出力に基づく、項目１に記載の方法。
（項目５）
前記１つまたはそれを上回るオーディオ信号の１つもしくはそれを上回る特性をランダム化するステップをさらに含む、項目１に記載の方法。
（項目６）
前記標的の複数の画像を受信するステップと、
前記画像内の検出された光反射に基づいて、前記標的が３次元顔状構造を含むかどうかを判定するステップと、
をさらに含む、項目１に記載の方法。
（項目７）
前記標的の複数の画像を受信するステップと、
前記画像に基づいて、前記標的が第１の脈拍を有するかどうかを識別するステップと、
をさらに含み、
前記標的がスプーフであるかどうかの判定はさらに、少なくとも部分的に、前記標的が脈拍を有するかどうかの識別に基づく、項目１に記載の方法。
（項目８）
前記第１の脈拍は、遠隔フォトプレチスモグラフィを使用して識別される、項目７に記載の方法。
（項目９）
前記標的との物理的接触を通して、前記標的の第２の脈拍を測定するステップをさらに含み、前記標的がスプーフであるかどうかの判定はさらに、少なくとも部分的に、前記第２の脈拍の測定値に基づく、項目７に記載の方法。
（項目１０）
前記第２の脈拍が前記第１の脈拍に相関するかどうかを判定するステップをさらに含み、前記標的がスプーフであるかどうかの判定はさらに、少なくとも部分的に、前記相関に基づく、項目９に記載の方法。
（項目１１）
前記第２の脈拍を測定するステップは、前記ユーザデバイスまたは別のハンドヘルドもしくはウェアラブルデバイスから前記第２の脈拍と関連付けられる情報を受信するステップを含む、項目９に記載の方法。
（項目１２）
前記第２の脈拍と関連付けられる情報は、バリストカルジオグラフ信号を含む、項目１１に記載の方法。
（項目１３）
システムであって、
コンピュータ実行可能命令を記憶するための、少なくとも１つのメモリと、
前記メモリ上に記憶される命令を実行するための、少なくとも１つの処理ユニットであって、前記命令の実行は、
ユーザデバイスのオーディオ出力コンポーネントを使用して、１つまたはそれを上回るオーディオ信号を放出するステップと、
前記ユーザデバイスのオーディオ入力コンポーネントを使用して、標的から前記オーディオ信号の１つまたはそれを上回る反射を受信するステップと、
前記１つまたはそれを上回る反射に基づいて、前記標的が顔状構造および顔状組織のうちの少なくとも１つを含むかどうかを判定するステップと、
少なくとも部分的に、前記標的が顔状構造および顔状組織のうちの少なくとも１つを含むかどうかの判定に基づいて、標的がスプーフであるかどうかを判定するステップと、
を含む動作を実施するように前記少なくとも１つの処理ユニットをプログラムする、少なくとも１つの処理ユニットと、
を備える、システム。
（項目１４）
前記ユーザデバイスは、スマートフォン、タブレット、またはラップトップを含むモバイルデバイスである、項目１３に記載のシステム。
（項目１５）
前記１つまたはそれを上回るオーディオ信号は、ショートコード化パルスｐｉｎｇ、短期間のチャープ、またはＣＴＦＭ  ｐｉｎｇを含む、項目１３に記載のシステム。
（項目１６）
前記動作は、
前記標的の身体的特徴を識別するために、分類子を訓練するステップと、
前記分類子への入力として、前記標的からの前記オーディオ信号の１つまたはそれを上回る反射に基づいて、情報を提供するステップと、
をさらに含み、
前記標的がスプーフであるかどうかの判定はさらに、少なくとも部分的に、前記提供された入力に応答して受信される前記分類子の出力に基づく、項目１３に記載のシステム。
（項目１７）
前記動作はさらに、前記１つまたはそれを上回るオーディオ信号の１つもしくはそれを上回る特性をランダム化するステップを含む、項目１３に記載のシステム。
（項目１８）
前記動作は、
前記標的の複数の画像を受信するステップと、
前記画像内の検出された光反射に基づいて、前記標的が３次元顔状構造を含むかどうかを判定するステップと、
をさらに含む、項目１３に記載のシステム。
（項目１９）
前記動作は、
前記標的の複数の画像を受信するステップと、
前記画像に基づいて、前記標的が第１の脈拍を有するかどうかを識別するステップと、
をさらに含み、
前記標的がスプーフであるかどうかの判定はさらに、少なくとも部分的に、前記標的が脈拍を有するかどうかの識別に基づく、項目１３に記載のシステム。
（項目２０）
前記第１の脈拍は、遠隔フォトプレチスモグラフィを使用して識別される、項目１９に記載のシステム。
（項目２１）
前記動作はさらに、前記標的との物理的接触を通して、前記標的の第２の脈拍を測定するステップを含み、前記標的がスプーフであるかどうかの判定はさらに、少なくとも部分的に、前記第２の脈拍の測定値に基づく、項目１９に記載のシステム。
（項目２２）
前記動作はさらに、前記第２の脈拍が前記第１の脈拍に相関するかどうかを判定するステップを含み、前記標的がスプーフであるかどうかの判定はさらに、少なくとも部分的に、前記相関に基づく、項目２１に記載のシステム。
（項目２３）
前記第２の脈拍を測定するステップは、前記ユーザデバイスまたは別のハンドヘルドもしくはウェアラブルデバイスから前記第２の脈拍と関連付けられる情報を受信するステップを含む、項目２１に記載のシステム。
（項目２４）
前記第２の脈拍と関連付けられる情報は、バリストカルジオグラフ信号を含む、項目２３に記載のシステム。
（項目２５）
非一過性コンピュータ可読媒体であって、実行されると、
ユーザデバイスのオーディオ出力コンポーネントを使用して、１つまたはそれを上回るオーディオ信号を放出するステップと、
前記ユーザデバイスのオーディオ入力コンポーネントを使用して、標的から前記オーディオ信号の１つまたはそれを上回る反射を受信するステップと、
前記１つまたはそれを上回る反射に基づいて、前記標的が顔状構造および顔状組織のうちの少なくとも１つを含むどうかを判定するステップと、
少なくとも部分的に、前記標的が顔状構造および顔状組織のうちの少なくとも１つを含むかどうかの判定に基づいて、標的がスプーフであるかどうかを判定するステップと、
を含む動作を実施するように少なくとも１つのプロセッサをプログラムする、その上に記憶される命令を有する、非一過性コンピュータ可読媒体。